(57)【要約】【課題】読み取り困難性と高精度な読み取りの双方を実現する情報の記録処理構成を提供する。【解決手段】暗号鍵などの秘匿性の高い付加情報をディスクに記録されるグルーブ信号中に、読み取り困難性と高精度な読み取りの双方を実現させる重畳記録を行うことが可能となる。付加情報の記録に際してビット値に応じた位相誤差を設定したグルーブ信号を記録し、付加情報の読み取り時には、所定区間のグルーブ信号の位相誤差を積分処理して、各区間内のグルーブ信号の位相誤差方向を判別する構成とした。このような処理により読み取り困難性を高めるとともに、精度の高い読み取りを実現する付加情報の記録再生を実現した。【選択図】図３
2011023051.tif 000002
【特許請求の範囲】
【請求項１】
付加情報を記録するグルーブ信号を生成する記録信号生成部と、
前記記録信号生成部の生成した記録信号をマスタディスクに記録する記録部を有し、
前記記録信号生成部は、
前記付加情報を構成する各ビット値に応じた位相誤差設定態様を決定し、
前記記録信号の所定区間単位で前記付加情報を構成する各ビット値に応じた位相誤差を設定した記録信号を生成する記録媒体製造装置。
【請求項２】
前記記録信号生成部は、
前記付加情報のビット値が０の場合と１の場合に応じて、前記グルーブ信号に設定する位相誤差の方向、または方向の組み合わせを異なる態様に設定した記録信号を生成する請求項１に記載の記録媒体製造装置。
【請求項３】
前記付加情報は、前記ディスクに記録されるコンテンツの暗号化処理または復号処理に適用する暗号鍵を含む情報である請求項１または２に記載の記録媒体製造装置。
【請求項４】
ディスクに記録されたグルーブ信号を読み取る再生部と、
前記再生部の再生信号の解析を行う信号解析部を有し、
前記信号解析部は、
前記グルーブ信号に含まれる位相誤差方向を、所定信号区間単位で判別して判別結果に基づいて前記グルーブ信号に含まれる付加情報の構成ビット値の判定を行う構成である情報再生装置。
【請求項５】
前記信号解析部は、
前記グルーブ信号のゼロクロス点の前後のサンプリング点の検出値を用いて位相誤差指標値を算出し、該位相誤差指標値を前記所定信号区間単位で積分して得られる結果と予め設定した閾値との比較により、前記所定信号区間における位相誤差の設定方向を判別する処理を行なう請求項４に記載の情報再生装置。
【請求項６】
前記情報再生装置は、さらに、
前記信号解析部の解析した付加情報に含まれる暗号鍵を適用して、前記ディスクに記録された暗号化コンテンツの復号処理を行う復号処理部を有する請求項４または５に記載の情報再生装置。
【請求項７】
ディスクに記録されたグルーブ信号を読み取る再生部と、
前記再生部においてディスクから読み取られたグルーブ信号に含まれる位相誤差方向を所定信号区間単位で判別し、判別結果に基づくビット値判定処理により前記グルーブ信号に重畳記録された暗号鍵を解析する信号解析部と、
前記信号解析部の解析した暗号鍵を適用してコンテンツの暗号化処理を実行する暗号処理部と、
前記暗号処理部の生成した暗号化コンテンツを前記ディスクに記録する記録部を有する情報記録装置。
【請求項８】
前記信号解析部は、
前記グルーブ信号のゼロクロス点の前後のサンプリング点の検出値を用いて位相誤差指標値を算出し、該位相誤差指標値を前記所定信号区間単位で積分して得られる結果と予め設定した閾値との比較により、前記所定信号区間における位相誤差の設定方向を判別する処理を行なう請求項７に記載の情報記録装置。
【請求項９】
付加情報を記録するために利用されるグルーブ信号を記録した情報記録媒体であり、
前記グルーブ信号は、所定信号区間単位で付加情報の構成ビット値に応じた異なる態様の位相誤差が設定された付加情報重畳信号として記録され、
再生装置において前記位相誤差の設定態様の検出に基づいて前記付加情報を読み取ることを可能とした情報記録媒体。
【請求項１０】
前記グルーブ信号は、前記付加情報のビット値が０の場合と１の場合に応じて、前記グルーブ信号に設定する位相誤差の方向または方向の組み合わせを異なる態様に設定した信号である請求項９に記載の情報記録媒体。
【請求項１１】
前記付加情報は、前記ディスクに記録されるコンテンツの暗号化処理または復号処理に適用する暗号鍵を含む情報である請求項９または１０に記載の情報記録媒体。
【請求項１２】
記録媒体製造装置において実行する情報記録媒体製造方法であり、
記録信号生成部が、付加情報を記録するグルーブ信号を生成する記録信号生成ステップと、
記録部が、前記記録信号生成ステップにおいて生成した記録信号をマスタディスクに記録する記録ステップを有し、
前記記録信号生成ステップは、
前記付加情報を構成する各ビット値に応じた位相誤差設定態様を決定し、
前記記録信号の所定区間単位で、前記付加情報を構成する各ビット値に応じた位相誤差を設定した記録信号を生成するステップを有する情報記録媒体製造方法。
【請求項１３】
情報再生装置において実行する情報再生方法であり、
再生部が、ディスクに記録されたグルーブ信号を読み取る再生ステップと、
信号解析部が、前記再生ステップにおける再生信号の解析を行う信号解析ステップを有し、
前記信号解析ステップは、
前記グルーブ信号に含まれる位相誤差方向を、所定信号区間単位で判別して判別結果に基づいて、前記グルーブ信号に含まれる付加情報の構成ビット値の判定を行うステップを有する情報再生方法。
【請求項１４】
情報記録装置において実行する情報記録方法であり、
再生部が、ディスクに記録されたグルーブ信号を読み取る再生ステップと、
信号解析部が、前記再生ステップにおいてディスクから読み取られたグルーブ信号に含まれる位相誤差方向を所定信号区間単位で判別し、判別結果に基づくビット値判定処理により前記グルーブ信号に重畳記録された暗号鍵構成ビット情報を解析する信号解析ステップと、
暗号処理部が、前記信号解析ステップにおいて解析した暗号鍵を適用してコンテンツの暗号化処理を実行する暗号処理ステップと、
記録部が、前記暗号処理ステップにおいて生成した暗号化コンテンツを前記ディスクに記録する記録ステップを有する情報記録方法。
【請求項１５】
情報再生装置において情報再生処理を実行させるプログラムであり、
再生部に、ディスクに記録されたグルーブ信号を読み取らせる再生ステップと、
信号解析部に、前記再生ステップにおける再生信号の解析を行わせる信号解析ステップを有し、
前記信号解析ステップは、
前記グルーブ信号に含まれる位相誤差方向を、所定信号区間単位で判別して判別結果に基づいて、前記グルーブ信号に含まれる付加情報の構成ビット値の判定を行わせるステップを有するプログラム。
【請求項１６】
情報記録装置において情報記録処理を実行させるプログラムであり、
再生部に、ディスクに記録されたグルーブ信号を読み取らせる再生ステップと、
信号解析部に、前記再生ステップにおいてディスクから読み取られたグルーブ信号に含まれる位相誤差方向を所定信号区間単位で判別させ、判別結果に基づくビット値判定処理により前記グルーブ信号に重畳記録された暗号鍵構成ビット情報を解析させる信号解析ステップと、
暗号処理部に、前記信号解析ステップにおいて解析した暗号鍵を適用してコンテンツの暗号化処理を実行させる暗号処理ステップと、
記録部に、前記暗号処理ステップにおいて生成した暗号化コンテンツを前記ディスクに記録させる記録ステップを有するプログラム。
【発明の詳細な説明】
【技術分野】
【０００１】
本発明は、情報記録装置、情報再生装置、記録媒体製造装置、情報記録媒体、および方法、並びにプログラムに関する。さらに詳細には、ディスク（情報記録媒体）の記録条件等の付加情報として記録されるグルーブ信号にコンテンツ鍵などの付加情報を重畳して記録または再生する情報記録装置、情報再生装置、記録媒体製造装置、情報記録媒体、および方法、並びにプログラムに関する。
【背景技術】
【０００２】
光ディスクにおいて、蛇行すなわちウォブル（ｗｏｂｂｌｅ）させたグルーブ（溝）をデータ記録トラックに対するアドレス情報および記録条件等の付加情報として利用することが知られている。このウォブリンググルーブを利用してピックアップを所望のトラック位置に設定してトラックに対するデータ記録やトラックからのデータ再生が行われる。
【０００３】
一方、昨今、光ディスクに記録されたコンテンツの違法コピーが問題となっており、コンテンツの保護を目的とする堅牢なコンテンツ保護システム（ＣＰＳ：Ｃｏｎｔｅｎｔｓ  Ｐｒｏｔｅｃｔｉｏｎ  Ｓｙｓｔｅｍ）が求められている。
【０００４】
コンテンツ保護システム（ＣＰＳ）の１つとして、ディスクに格納するコンテンツを暗号化する手法がある。暗号化コンテンツの復号に適用する鍵情報や、その他のコンテンツ利用制御情報などを前述のグルーブにアドレス情報に重畳して記録する構成が提案されている。例えば特許文献１（特開２００４−２１３７８１号公報）は鍵情報をグルーブに記録して利用する構成を開示している。
【０００５】
しかし、暗号化コンテンツの復号に適用する鍵情報や、その他のコンテンツ利用制御情報などの多くは秘密情報であり、漏洩防止のため容易な読み取りを防ぐ必要がある。一方、ディスクに鍵データが記録されている場合、正当なコンテンツ利用権を持つユーザの再生装置は鍵構成ビットを正確に読み取ることが必要となる。読み取り精度が低下すると、正確な鍵情報を取得できずコンテンツの復号が行えなくなるからである。
【０００６】
例えばコンテンツの復号に適用する鍵情報を前述のグルーブに記録する場合、容易な読み取りを回避するとともに、正確な読み取りも実現するという相反する要求を満たすことが必要となる。
【０００７】
コンテンツ保護システム（ＣＰＳ）の適用データである鍵情報などのＣＰＳデータをディスクに記録して利用する構成に求められる要件には例えば以下の要件がある。
１．ＣＰＳデータの再生信号の信頼性が高いこと。
２．ＣＰＳデータの他メディアへのコピーが困難であること。
３．ＣＰＳデータ格納媒体や、記録再生ドライブの製造コストが大幅に高くならないこと。
例えば、このような要件がある。
【０００８】
前述した特許文献１（特開２００４−２１３７８１号公報）は鍵情報をグルーブに記録して利用する構成を開示している。この従来技術も、上記の要件を満たすような工夫が施されている。しかしながら、一方では、秘密情報の解読技術も進んでおり、さらなる高度な秘匿性を持つ記録構成が求められている。
【先行技術文献】
【特許文献】
【０００９】
【特許文献１】特開２００４−２１３７８１号公報
【発明の概要】
【発明が解決しようとする課題】
【００１０】
本発明は、例えば上記問題点に鑑みてなされたものであり、グルーブ信号にディスクに記録されるコンテンツ用の暗号鍵などの付加情報を重畳して記録または再生する構成において、解読困難性を高め、かつ正確なデータ読み取りも可能とする情報記録装置、情報再生装置、記録媒体製造装置、情報記録媒体、および方法、並びにプログラムを提供することを目的とする。
【課題を解決するための手段】
【００１１】
本発明の第１の側面は、
付加情報を記録するグルーブ信号を生成する記録信号生成部と、
前記記録信号生成部の生成した記録信号をマスタディスクに記録する記録部を有し、
前記記録信号生成部は、
前記付加情報を構成する各ビット値に応じた位相誤差設定態様を決定し、
前記記録信号の所定区間単位で前記付加情報を構成する各ビット値に応じた位相誤差を設定した記録信号を生成する記録媒体製造装置にある。
【００１２】
さらに、本発明の記録媒体製造装置の一実施態様において、前記記録信号生成部は、前記付加情報のビット値が０の場合と１の場合に応じて、前記グルーブ信号に設定する位相誤差の方向、または方向の組み合わせを異なる態様に設定した記録信号を生成する。
【００１３】
さらに、本発明の記録媒体製造装置の一実施態様において、前記付加情報は、前記ディスクに記録されるコンテンツの暗号化処理または復号処理に適用する暗号鍵を含む情報である。
【００１４】
さらに、本発明の第２の側面は、
ディスクに記録されたグルーブ信号を読み取る再生部と、
前記再生部の再生信号の解析を行う信号解析部を有し、
前記信号解析部は、
前記グルーブ信号に含まれる位相誤差方向を、所定信号区間単位で判別して判別結果に基づいて前記グルーブ信号に含まれる付加情報の構成ビット値の判定を行う構成である情報再生装置にある。
【００１５】
さらに、本発明の情報再生装置の一実施態様において、前記信号解析部は、前記グルーブ信号のゼロクロス点の前後のサンプリング点の検出値を用いて位相誤差指標値を算出し、該位相誤差指標値を前記所定信号区間単位で積分して得られる結果と予め設定した閾値との比較により、前記所定信号区間における位相誤差の設定方向を判別する処理を行なう。
【００１６】
さらに、本発明の情報再生装置の一実施態様において、前記情報再生装置は、さらに、前記信号解析部の解析した付加情報に含まれる暗号鍵を適用して、前記ディスクに記録された暗号化コンテンツの復号処理を行う復号処理部を有する。
【００１７】
さらに、本発明の第３の側面は、
ディスクに記録されたグルーブ信号を読み取る再生部と、
前記再生部においてディスクから読み取られたグルーブ信号に含まれる位相誤差方向を所定信号区間単位で判別し、判別結果に基づくビット値判定処理により前記グルーブ信号に重畳記録された暗号鍵を解析する信号解析部と、
前記信号解析部の解析した暗号鍵を適用してコンテンツの暗号化処理を実行する暗号処理部と、
前記暗号処理部の生成した暗号化コンテンツを前記ディスクに記録する記録部を有する情報記録装置にある。
【００１８】
さらに、本発明の情報記録装置の一実施態様において、前記信号解析部は、前記グルーブ信号のゼロクロス点の前後のサンプリング点の検出値を用いて位相誤差指標値を算出し、該位相誤差指標値を前記所定信号区間単位で積分して得られる結果と予め設定した閾値との比較により、前記所定信号区間における位相誤差の設定方向を判別する処理を行なう。
【００１９】
さらに、本発明の第４の側面は、
付加情報を記録するために利用されるグルーブ信号を記録した情報記録媒体であり、
前記グルーブ信号は、所定信号区間単位で付加情報の構成ビット値に応じた異なる態様の位相誤差が設定された付加情報重畳信号として記録され、
再生装置において前記位相誤差の設定態様の検出に基づいて前記付加情報を読み取ることを可能とした情報記録媒体にある。
【００２０】
さらに、本発明の情報記録媒体の一実施態様において、前記グルーブ信号は、前記付加情報のビット値が０の場合と１の場合に応じて、前記グルーブ信号に設定する位相誤差の方向または方向の組み合わせを異なる態様に設定した信号である。
【００２１】
さらに、本発明の情報記録媒体の一実施態様において、前記付加情報は、前記ディスクに記録されるコンテンツの暗号化処理または復号処理に適用する暗号鍵を含む情報である。
【００２２】
さらに、本発明の第５の側面は、
記録媒体製造装置において実行する情報記録媒体製造方法であり、
記録信号生成部が、付加情報を記録するグルーブ信号を生成する記録信号生成ステップと、
記録部が、前記記録信号生成ステップにおいて生成した記録信号をマスタディスクに記録する記録ステップを有し、
前記記録信号生成ステップは、
前記付加情報を構成する各ビット値に応じた位相誤差設定態様を決定し、
前記記録信号の所定区間単位で、前記付加情報を構成する各ビット値に応じた位相誤差を設定した記録信号を生成するステップを有する情報記録媒体製造方法にある。
【００２３】
さらに、本発明の第６の側面は、
情報再生装置において実行する情報再生方法であり、
再生部が、ディスクに記録されたグルーブ信号を読み取る再生ステップと、
信号解析部が、前記再生ステップにおける再生信号の解析を行う信号解析ステップを有し、
前記信号解析ステップは、
前記グルーブ信号に含まれる位相誤差方向を、所定信号区間単位で判別して判別結果に基づいて、前記グルーブ信号に含まれる付加情報の構成ビット値の判定を行うステップを有する情報再生方法にある。
【００２４】
さらに、本発明の第７の側面は、
情報記録装置において実行する情報記録方法であり、
再生部が、ディスクに記録されたグルーブ信号を読み取る再生ステップと、
信号解析部が、前記再生ステップにおいてディスクから読み取られたグルーブ信号に含まれる位相誤差方向を所定信号区間単位で判別し、判別結果に基づくビット値判定処理により前記グルーブ信号に重畳記録された暗号鍵構成ビット情報を解析する信号解析ステップと、
暗号処理部が、前記信号解析ステップにおいて解析した暗号鍵を適用してコンテンツの暗号化処理を実行する暗号処理ステップと、
記録部が、前記暗号処理ステップにおいて生成した暗号化コンテンツを前記ディスクに記録する記録ステップを有する情報記録方法にある。
【００２５】
さらに、本発明の第８の側面は、
情報再生装置において情報再生処理を実行させるプログラムであり、
再生部に、ディスクに記録されたグルーブ信号を読み取らせる再生ステップと、
信号解析部に、前記再生ステップにおける再生信号の解析を行わせる信号解析ステップを有し、
前記信号解析ステップは、
前記グルーブ信号に含まれる位相誤差方向を、所定信号区間単位で判別して判別結果に基づいて、前記グルーブ信号に含まれる付加情報の構成ビット値の判定を行わせるステップを有するプログラムにある。
【００２６】
さらに、本発明の第９の側面は、
情報記録装置において情報記録処理を実行させるプログラムであり、
再生部に、ディスクに記録されたグルーブ信号を読み取らせる再生ステップと、
信号解析部に、前記再生ステップにおいてディスクから読み取られたグルーブ信号に含まれる位相誤差方向を所定信号区間単位で判別させ、判別結果に基づくビット値判定処理により前記グルーブ信号に重畳記録された暗号鍵構成ビット情報を解析させる信号解析ステップと、
暗号処理部に、前記信号解析ステップにおいて解析した暗号鍵を適用してコンテンツの暗号化処理を実行させる暗号処理ステップと、
記録部に、前記暗号処理ステップにおいて生成した暗号化コンテンツを前記ディスクに記録させる記録ステップを有するプログラムにある。
【００２７】
なお、本発明のプログラムは、例えば、様々なプログラム・コードを実行可能な画像処理装置やコンピュータ・システムに対して、コンピュータ可読な形式で提供する記憶媒体、通信媒体によって提供可能なプログラムである。このようなプログラムをコンピュータ可読な形式で提供することにより、画像処理装置やコンピュータ・システム上でプログラムに応じた処理が実現される。
【００２８】
本発明のさらに他の目的、特徴や利点は、後述する本発明の実施例や添付する図面に基づくより詳細な説明によって明らかになるであろう。なお、本明細書においてシステムとは、複数の装置の論理的集合構成であり、各構成の装置が同一筐体内にあるものには限らない。
【発明の効果】
【００２９】
本発明の一実施例によれば、暗号鍵などの秘匿性の高い付加情報をディスクに記録されるグルーブ信号中に、読み取り困難性と高精度な読み取りの双方を実現させる重畳記録を行うことが可能となる。付加情報の記録に際してビット値に応じた位相誤差を設定したグルーブ信号を記録し、付加情報の読み取り時には、所定区間のグルーブ信号の位相誤差を積分処理して、各区間内のグルーブ信号の位相誤差方向を判別する構成とした。このような処理により読み取り困難性を高めるとともに、精度の高い読み取りを実現する付加情報の記録再生を実現することができる。
【図面の簡単な説明】
【００３０】
【図１】本発明の一実施例に係る記録媒体製造装置の構成例について説明する図である。
【図２】本発明の一実施例に係る記録媒体製造装置の記録信号生成部の構成例について説明する図である。
【図３】本発明の一実施例に係る位相誤差設定グルーブ信号の例について説明する図である。
【図４】本発明の一実施例に係る位相誤差設定グルーブ信号の記録処理と再生処理例について説明する図である。
【図５】本発明の一実施例に係る情報再生装置の構成例について説明する図である。
【図６】本発明の一実施例に係る情報再生装置の信号解析部の詳細構成例について説明する図である。
【図７】本発明の一実施例に係る情報再生装置の実行するグルーブ信号に対する信号解析処理による付加情報の取得処理例について説明する図である。
【図８】本発明の一実施例に係る情報再生装置の実行するグルーブ信号に対する信号解析処理による付加情報の取得処理例について説明する図である。
【図９】本発明の一実施例に係る情報再生装置の実行するグルーブ信号に対する信号解析処理による付加情報の取得処理例について説明する図である。
【図１０】本発明の一実施例に係る情報再生装置の実行するグルーブ信号に対する信号解析処理による付加情報の取得処理例について説明する図である。
【図１１】本発明の一実施例に係る情報記録装置の構成例について説明する図である。
【図１２】本発明の一実施例に係る位相誤差設定グルーブ信号の記録処理と再生処理例について説明する図である。
【発明を実施するための形態】
【００３１】
以下、図面を参照しながら本発明の情報記録装置、情報再生装置、記録媒体製造装置、情報記録媒体、および方法、並びにプログラムの詳細について説明する。説明は、以下の項目に従って行う。
１．記録媒体製造装置の構成と処理、および情報記録媒体について
２．情報再生装置の構成と処理について
３．情報記録装置の構成と処理について
４．その他の実施例について
【００３２】
［１．記録媒体製造装置の構成と処理、および情報記録媒体について］
まず、本発明の一実施例に係る記録媒体製造装置の構成と処理、および情報記録媒体について、図１以下を参照して説明する。
【００３３】
図１は、本発明の一実施例に係る記録媒体製造装置の構成を示すブロック図である。記録媒体製造装置１００は、ディスク原盤であるマスタディスク１３０の製造を行う。その後、マスタディスク１３０のスタンパ処理によってユーザに提供される情報記録媒体であるディスク１５０が大量生産される。
【００３４】
マスタディスク１３０には、記録条件等の付加情報を記録するために利用されるグルーブ信号が記録される。グルーブ信号は、蛇行すなわちウォブル（ｗｏｂｂｌｅ）した溝によって構成される。
【００３５】
図１に示すように記録媒体製造装置１００は、記録条件等の付加情報１２０、例えば暗号鍵などの付加情報１２０を入力し記録信号を生成する。この生成記録信号に従ってマスタディスク１３０に対するグルーブ信号の記録処理を行う。
【００３６】
付加情報１２０は例えば６４ビット、１２８ビットなどの暗号鍵の構成ビットを含むデータである。この付加情報１２０は記録信号生成部１０２に入力される。
【００３７】
記録信号生成部１０２は、記録条件等の付加情報１２０を入力してマスタディスク１３０に記録する記録信号（グルーブ信号）を生成する。記録信号生成部１０２は、記録条件等の付加情報を示すウォブリンググルーブ信号をＦＭ（Ｆｒｅｑｕｅｎｃｙ  Ｍｏｄｕｌａｔｉｏｎ）変調処理により生成する。記録条件等の付加情報はグルーブ信号（ＦＭ変調信号）に対する位相誤差の設定によって記録される。この処理については、後段で詳細に説明する。
【００３８】
記録信号生成部１０２の生成した記録信号は、記録部１０３に出力される。記録部１０３はたとえばレーザ出力によりマスタディスク１３０に対して記録信号に応じた溝（グルーブ）を形成する。マスタディスク１３０に記録されるグルーブ信号は、コンテンツの記録されるデータトラックに沿ったスパイラル状の溝である。
【００３９】
記録部１０３による記録処理によって、記録条件等の付加情報、例えば暗号鍵が重畳されたグルーブ信号を記録したマスタディスク１３０が製造される。このマスタディスク１３０のスタンパ処理によって、ユーザに提供する大量のディスク１５０が生産される。
【００４０】
なお、ディスク１５０は、例えば映画などのコンテンツが記録されたディスク、あるいは、コンテンツの記録されていないディスク、いずれでもよい。コンテンツの記録されていないディスクは、ユーザによるデータ書き込みが可能なディスクである。このようなディスク１５０を購入したユーザは後日、映画などのコンテンツをディスク１５０に記録することができる。
【００４１】
例えばコンテンツの記録されていないディスクを購入したユーザは、ユーザのＰＣなとの記録再生装置を利用してコンテンツ提供サーバにネットワークを介して接続する。サーバは、ディスク１５０に記録されている暗号鍵を用いて復号可能な暗号化コンテンツをユーザ装置に提供する。
【００４２】
ユーザ装置は、サーバからダウンロードしたコンテンツをディスク１５０に記録する。その後、コンテンツ再生処理に際して、ディスク１５０に記録されたグルーブ信号から暗号鍵を読み取り、読み取った暗号鍵を用いてディスク１５０に記録された暗号化コンテンツの復号処理を実行してコンテンツ再生処理を行うことができる。
【００４３】
あるいは、サーバから暗号化されていないコンテンツを取得し、ユーザ装置側でディスクのグルーブ信号から読み取った暗号鍵を適用して取得コンテンツの暗号化処理を行ってディスクに記録することも可能となる。
【００４４】
いずれの態様においても、暗号化コンテンツとその復号に適用する暗号鍵は１つのディスクにまとまって格納されることになる。従って、例えば暗号化コンテンツを他のメディアに出力してコピーしても、暗号鍵が利用できないことになり、コンテンツの不正利用を効果的に防止することができる。
【００４５】
次に図２を参照して、記録媒体製造装置１００の記録信号生成部１０２の構成と処理の詳細について説明する。記録信号生成部１０２は前述したように、記録条件等の付加情報として暗号鍵などを含む記録信号を生成する。
【００４６】
記録信号生成部１０２は図２に示すように、変調信号生成部１２２、位相誤差設定信号生成部１２３を有する。
【００４７】
記録信号生成部１０２は、例えば、付加情報の構成ビットが［１］の場合には、グルーブ信号に対して＋方向の位相誤差、付加情報の構成ビットが［０］の場合には、グルーブ信号に対して−方向の位相誤差を対応付けた位相誤差設定信号を生成する。
【００４８】
なお、この設定は、様々な設定が可能であり、上述の逆の設定や、以下のような設定もある。
ビット［１］の場合、先行する＋方向の位相誤差と後続する−方向の位相誤差の設定の組み合わせ、
ビット［０］の場合、先行する−方向の位相誤差と後続する＋方向の位相誤差の設定の組み合わせ、
このような設定など、様々な設定が可能である。
【００４９】
変調信号生成部１２２は、記録条件等の付加情報に応じてＦＭ変調処理を行った変調信号を生成する。
位相誤差設定信号生成部１２３は、変調信号生成部１２２の生成した変調信号に対して付加情報ビットに応じた位相誤差情報に応じて、変調信号に位相誤差を設定した記録信号を生成する。
【００５０】
図３にマスタディスクやディスク１５０に記録されるグルーブ信号の例を示す。グルーブ信号は、ディスク１５０に対してスパイラル状に設定された溝を再生した信号である。図２（１）（２ａ），（２ｂ）には、その一部の詳細を示している。すなわち、図２に示すディスク１５０のＡＢ部分のグルーブ信号の例を示している。
【００５１】
図３には、以下の各信号例を示している。
（１）位相誤差設定なしのグルーブ信号
（２ａ）＋方向位相誤差設定グルーブ信号
（２ｂ）−方向位相誤差設定グルーブ信号
【００５２】
（１），（２ａ），（２ｂ）は、ディスクの平面に相当し、右方向がトラックの信号方向である。図３（１）に示す位相誤差設定なしのグルーブ信号を（２ａ），（２ｂ）に点線で示している。図３（２ａ），（２ｂ）に示す実線が位相誤差を持つグルーブ信号であり、点線が、位相誤差を持たない本来の記録条件等の付加情報のみからなるグルーブ信号である。
【００５３】
図３（２ａ）に示す例では、実線で示す＋方向位相誤差設定グルーブ信号が、点線で示すグルーブ信号（位相誤差なし）に比較してトラック進行方向（＋方向）にわずかにずれている。このずれが＋方向位相誤差である。
【００５４】
また、図３（２ｂ）に示す例では、実線で示す−方向位相誤差設定グルーブ信号が、点線で示すグルーブ信号（位相誤差なし）に比較してトラック反対方向（−方向）にわずかにずれている。このずれが−方向位相誤差である。
【００５５】
マスタディスクおよびディスクに記録されるグルーブ信号は、図３（１），（２ａ），（２ｂ）の異なるタイプのグルーブ信号が混在した設定となる。位相誤差により鍵情報などの付加情報の構成ビットが記録される。再生装置は、グルーブ信号の読み取りに際して、グルーブ信号から位相誤差を検出し、検出した位相誤差に基づいて付加情報のビット値を解析する。具体的な位相誤差の設定例とビットデータとの対応例について図４を参照して説明する。
【００５６】
図４はグルーブ信号の記録処理と再生処理例について示した図である。図４の例は、
ビット＝１の場合に、＋方向の位相誤差を設定したグルーブ信号、
ビット＝０の場合に、−方向の位相誤差を設定したグルーブ信号、
このような設定でグルーブ信号を記録した場合の例を示している。
【００５７】
グルーブ信号の記録処理に際しては、付加情報の構成ビット＝１の場合には、＋方向（トラック進行方向）の位相誤差を設定したグルーブ信号を所定区間記録する。付加情報の構成ビット＝１の場合には、−方向（トラック反対方向）の位相誤差を設定したグルーブ信号を所定区間記録する。
【００５８】
図４に示す例では、
ｔ１〜ｔ２：＋方向位相誤差設定グルーブ信号（ビット値＝１に対応）
ｔ２〜ｔ３：−方向位相誤差設定グルーブ信号（ビット値＝０に対応）
ｔ３〜ｔ４：＋方向位相誤差設定グルーブ信号（ビット値＝１に対応）
ｔ４〜ｔ５：＋方向位相誤差設定グルーブ信号（ビット値＝１に対応）
ｔ５〜ｔ６：＋方向位相誤差設定グルーブ信号（ビット値＝０に対応）
このような設定で、グルーブ信号が生成されて記録される。
【００５９】
なお、設定する位相誤差は、ごくわずかである。例えば、再生処理におけるサンプリング信号の周期Ｔの１〜５％程度の位相誤差が設定される。従って、一度の読み取りでは設定された位相誤差が＋方向なのか−方向なのかを判定することが困難な設定である。
【００６０】
グルーブ信号の記録処理に際しては、例えば付加情報の構成ビットがビット値＝１の場合には、＋方向の位相誤差を持つグルーブ信号を一定区間設定して記録する。またビット＝０の場合には、−方向の位相誤差を持つグルーブ信号を一定区間設定して記録する。
【００６１】
再生装置は、グルーブ信号の読み取りを所定のサンプリングタイム（Ｔ）間隔で実行し、各サンプリングタイムにおいて読み取られた信号の値を蓄積（積分）する。この積分処理によって、一定区間（例えばｔ１〜ｔ２）において読み取られたグルーブ信号の位相誤差の方向（＋，−）を判定する。
【００６２】
なお、記録装置、再生装置のいずれも装置に設定されたクロックによって様々な制御のタイミングが設定され、図４に示すｔ１〜ｔ２などの区間については、予め規定したクロック数によって判別することができる。
【００６３】
ディスクには、図３を参照して説明したように、
（１）位相誤差設定なしグルーブ信号
（２ａ）＋方向位相誤差設定グルーブ信号
（２ｂ）−方向位相誤差設定グルーブ信号
これらの３パターンの信号が記録される。
一定区間単位、例えば図４に示すｔ１〜ｔ２、ｔ２〜ｔ３などの一定区間単位で、上記３パターンのいずれかの設定でグルーブ信号を記録する。
【００６４】
再生装置は、図４に示すｔ１〜ｔ２、ｔ２〜ｔ３などの一定区間単位で、位相誤差の解析を実行する。この解析により上記３パターンに対応する異なる位相誤差蓄積信号（積分信号）を生成することが可能となる。このような位相誤差蓄積処理、すなわち検出信号の積分処理により、設定された位相誤差が＋方向であるか−方向であるかを誤りなく検出することが可能となる。
【００６５】
この処理が図４の下部に示す処理である。例えば、再生装置は以下のような処理を行う。
ｔ１〜ｔ２：読み取りグルーブ信号に基づく位相誤差判定結果を蓄積（積分）し、＋方向の位相誤差が設定された区間であると判断し、ビット値＝［１］と判定する。
ｔ２〜ｔ３：読み取りグルーブ信号に基づく位相誤差判定結果を蓄積（積分）し、−方向の位相誤差が設定された区間であると判断し、ビット値＝［０］と判定する。
以下、同様の処理を実行して、ビットの値を順次、取得していく。
この処理を継続することで、例えば６４ビットや１２８ビットの鍵を構成するビット値をすべて正確に取得することができる。
【００６６】
［２．情報再生装置の構成と処理について］
次に、上述した付加情報を重畳したグルーブ信号を記録したディスクの再生処理を行う再生装置の構成と処理例について説明する。
【００６７】
図５は、本発明の一実施例に係る情報再生装置の構成例を示すブロック図である。図５に示すように情報再生装置２００は、再生部２０１、信号解析部２０２、復号処理部２０４を有する。
【００６８】
再生部２０１はディスク１５０からの信号読み取りを行う。ディスク１５０は、先に説明した暗号鍵などの付加情報を重畳したグルーブ信号が記録されたディスクである。さらに、その暗号鍵で暗号化された暗号化コンテンツが記録されている。
【００６９】
再生部２０１は、グルーブ信号を読み取り、信号解析部２０２に出力する。グルーブ信号は、先に図３等を参照して説明したように、
（１）位相誤差設定なしグルーブ信号
（２ａ）＋方向位相誤差設定グルーブ信号
（２ｂ）−方向位相誤差設定グルーブ信号
これらの３パターンの信号の混在したグルーブ信号である。
【００７０】
信号解析部２０２は、再生部２０１から入力するグルーブ信号の復調処理および解析を実行して、位相誤差の検出を行い、検出した位相誤差に基づいてグルーブ信号中に記録された付加情報の構成ビット値を検出する。
【００７１】
信号解析部２０２において検出された付加情報の構成ビット情報に基づいて付加情報１２０を得る。例えば付加情報１２０は暗号鍵であり、ディスク１５０に記録された暗号化コンテンツの復号処理に適用される。
【００７２】
また、信号解析部２０２において復調された結果からは、グルーブ信号に含まれるその他の付加情報、例えばアドレス情報１２５が得られる。なお、グルーブ信号に設定された位相誤差は前述したようにわずかな位相誤差であり、取得されたアドレス情報にエラーを発生させるほどの影響はない。なお、グルーブ信号に含まれるその他の付加情報、例えばアドレス情報１２５を取得する処理は、一般的なグルーブ信号の読み取り処理として行われる。例えば、グルーブ信号の読み取り信号として得られるプッシュプル信号に対するＦＭ復調処理を行い、復調処理結果に対するバンドパスフィルタ処理、２値化処理を行い、さらに必要に応じてＥＣＣデコード、デインターリーブなどの処理がなされて、グルーブ信号に含まれるその他の付加情報、例えばアドレス情報１２５や、そのディスクの基本情報（ディスク種別、ライトストラテジのパラメータ等）が取得される。
【００７３】
なお、データトラックに記録されたコンテンツの読み取りに際しては、例えばデータ領域中のアドレス情報を適用して所定トラック位置にピックアップを設定して、暗号化コンテンツの読み取りが行われる。復号処理部２０４は、グルーブ信号から取得した付加情報（暗号鍵）１２０を適用して暗号化コンテンツの復号処理を実行してコンテンツ再生を行う。
【００７４】
信号解析部２０２の詳細構成と処理について、図６を参照して説明する。
図６に示すように、信号解析部２０２は、復調部２２１、位相誤差検出部２２２、ビット値判定部２２３を有する。
復調部２２１は、ＦＭ変調信号としてディスクに記録されたグルーブ信号を再生部２０１から入力して復調処理を実行する。
【００７５】
位相誤差検出部２２２は、先に図４を参照して説明したように、グルーブ信号の読み取りを所定のサンプリングタイム（Ｔ）間隔で実行し、各サンプリングタイムにおいて読み取られた信号の値を蓄積（積分）する。なお、積分処理は、例えば、グルーブ信号の読み取り信号から得られるプッシュプル信号に対する積分処理として行われる。この積分処理によって、一定区間（例えばｔ１〜ｔ２）において読み取られたグルーブ信号の位相誤差の方向（＋，−）を判定する。
【００７６】
ディスクには、図３を参照して説明したように、
（１）位相誤差設定なしグルーブ信号
（２ａ）＋方向位相誤差設定グルーブ信号
（２ｂ）−方向位相誤差設定グルーブ信号
これらの３パターンの信号が記録されている。
情報再生装置の位相誤差検出部２２２は、例えば図４に示すｔ１〜ｔ２、ｔ２〜ｔ３などの一定区間単位で、上記３パターンのいずれの誤差設定のグルーブ信号であるかを判別する。
【００７７】
位相誤差検出部２２２の実行する位相誤差検出処理の具体例について、図７以下を参照して説明する。
【００７８】
図７（１）は、先に図３（２ａ）を参照して説明したと同様のグルーブ信号の例であり、＋方向（トラック進行方向）に位相誤差を設定したグルーブ信号を実線で示している。点線は位相誤差無しのグルーブ信号を参考として示している。
【００７９】
再生装置によるグルーブ信号の読み取りは、一定期間のサンプリング間隔で実行される。図７（１）に示す複数の上向き矢印がサンプリングタイミングを示している。左から右に、グルーブ信号が間隔Ｔごとに読み取られる。
【００８０】
位相誤差の検出には、グルーブ信号のゼロクロス点（ゼロクロスポイント）の前後のサンプリングデータが利用される。ゼロクロス点とは、図７に示すようにグルーブ信号ラインが中央位置（０）を横切るポイントである。
【００８１】
このゼロクロス点の前後のサンプリングタイム、すなわち図７に示す時間ｔｐ，ｔｑの２つのサンプリングデータが位相誤差検出に利用される。
この処理の詳細について図７（２），（３）を参照して説明する。
【００８２】
図７（２）は、図７（１）に示すサンプリングタイムｔｐ〜ｔｑ近傍を拡大した拡大図である。実線が＋方向の位相誤差を持つグルーブ信号であり、点線が位相誤差の無いグルーブ信号を参考データとして示している。
【００８３】
図７（２）に示すゼロクロス点の両側のサンプリング時間ｔｐ，ｔｑの２つのサンプリングデータが位相誤差検出に利用される。
例えば、図７（２）に示す例では、
サンプリング時間ｔｐ：計測値Ｘ１、
サンプリング時間ｔｑ：計測値Ｘ２、
これらの計測値が取得される。
なお、計測値は、グルーブの位置に応じた相対的な電位（電圧）の値として取得される。例えば、図７（２）に示すようにグルーブ信号の端から端までを−６４〜＋６４の相対電位値とした範囲で計測される。
【００８４】
ゼロクロス点を挟む２つのサンプリング時間ｔｐ，ｔｑにおける計測値Ｘ１、Ｘ２を適用して、位相誤差指標値（Δτ）が、例えば図７（３）に示す式を適用して算出される。
すなわち、位相誤差指標値（Δτ）は下式（式１）に従って算出される。
Δτ＝（（Ｙｋ）（Ｘｋ−１））−（（Ｙｋ−１）（Ｘｋ））・・・（式１）
ただし、
Ｘｋ−１はゼロクロス直前の計測値
Ｘｋはゼロクロス直後の計測値
Ｙｋ−１，Ｙｋは、
Ｘ≧０のときＹ＝（＋１）
Ｘ＜０のときＹ＝（−１）
である。
【００８５】
上記式（式１）は、１つのゼロクロス点に対応する位相誤差指標値（Δτ）の算出式である。前述したようにグルーブ信号に設定される位相誤差はわずかの誤差（例えばサンプリング期間Ｔの数％程度）である。従って、１つのデータのみで位相誤差が＋方向であるか−方向であるかを判別することは困難であり、ビット値判定に際してエラーが発生する可能性が高い。
【００８６】
従って、先に図４を参照して説明したように、記録装置は、ある一定期間の連続するグルーブ信号区間（例えば図４に示すｔ１〜ｔ２）に連続した同一方向の誤差を設定したグルーブ信号を記録する。再生装置は、この一定のグルーブ信号区間の誤差を順次加算する積分処理によりその区間の位相誤差の設定方向を判別する。
【００８７】
再生装置は、上記式（式１）で示される位相誤差指標値（Δτ）を、ある一定期間の連続するグルーブ信号区間（例えば図４に示すｔ１〜ｔ２）において積分して、図７（３）に示す判定を行う。すなわち、以下のように、位相誤差指標値（Δτ）の積分結果（ΣΔτ）と、閾値Ｔｈ１，Ｔｈ２との比較により、位相誤差の有無および方向の判定を実行する。
Ｔｈ１＜ΣΔτ＜Ｔｈ２  →  位相誤差なし
ΣΔτ≦Ｔｈ１  →  ＋方向位相誤差あり
ΣΔτ≧Ｔｈ２  →  −方向位相誤差あり
・・・・（式２）
上記判定式（式２）に従って、位相誤差の有無および方向の判定を実行する。
【００８８】
図８は、位相誤差指標値（Δτ）の積分結果（ΣΔτ）と閾値との比較処理の具体例について説明する図である。
図８には、以下の３パターンの例を示している。
（１）位相誤差設定なしグルーブ信号
（２ａ）＋方向位相誤差設定グルーブ信号
（２ｂ）−方向位相誤差設定グルーブ信号
これらの３パターンの信号に対する信号区間ｔ１〜ｔ２の位相誤差指標値（Δτ）の積分結果（ΣΔτ）と閾値（Ｔｈ１，Ｔｈ２）との比較処理例を示している。
【００８９】
図８（１）は、信号区間ｔ１〜ｔ２のグルーブ信号が、位相誤差の設定されていないグルーブ信号である場合の例である。この場合、各ゼロクロス点の位相誤差指標値（Δτ）は、いずれか一方に偏りが発生することなく様々な方向にほぼバランスされて発生する。この結果、信号区間ｔ１〜ｔ２における位相誤差指標値（Δτ）の積分結果（ΣΔτ）＝Ｖ０は、予め設定された閾値Ｔｈ１〜Ｔｈ２の範囲となる。
【００９０】
これは、例えば図７（２）に示す点線の位相誤差のないグルーブ信号に従って計測される計測値Ｘ１１，Ｘ１２を適用して、前述した式、すなわち、
Δτ＝（（Ｙｋ）（Ｘｋ−１））−（（Ｙｋ−１）（Ｘｋ））
上記式に従って、位相誤差指標値（Δτ）を算出して、その積分結果（ΣΔτ）＝Ｖ０を算出した場合に相当する。
【００９１】
図８（２ａ）は、信号区間ｔ１〜ｔ２のグルーブ信号が、＋方向の位相誤差の設定がなされたグルーブ信号である場合の例である。これは、図７を参照して説明した例に対応する。この場合、各ゼロクロス点の位相誤差指標値（Δτ）は、一方に偏りが発生する。この結果、信号区間ｔ１〜ｔ２における位相誤差指標値（Δτ）の積分結果（ΣΔτ）＝Ｖ１は、予め設定された閾値Ｔｈ１以下の値となる。
【００９２】
図８（２ｂ）は、信号区間ｔ１〜ｔ２のグルーブ信号が、−方向の位相誤差の設定がなされたグルーブ信号である場合の例である。この場合も、各ゼロクロス点の位相誤差指標値（Δτ）は、一方に偏りが発生して発生する。図８（２ａ）の逆の偏りが発生する。この結果、信号区間ｔ１〜ｔ２における位相誤差指標値（Δτ）の積分結果（ΣΔτ）＝Ｖ２は、予め設定された閾値Ｔｈ２以上の値となる。
【００９３】
このように、位相誤差指標値（Δτ）の積分結果（ΣΔτ）と閾値との比較によって、３パターンのグルーブ信号の各々について判別することができる。すなわち、
Ｔｈ１＜ΣΔτ＜Ｔｈ２  →  位相誤差なし
ΣΔτ＜Ｔｈ１  →  ＋方向位相誤差あり
ΣΔτ＞Ｔｈ２  →  −方向位相誤差あり
上記判定式に従って、位相誤差の有無および方向の判定が可能となる。
【００９４】
図７では、＋方向位相誤差設定グルーブ信号のゼロクロス点が右下がりのラインである場合の位相誤差指標値（Δτ）の算出処理例について説明した。しかし、ゼロクロス点は、右下がりライン、右上がりラインの２種類のラインに対して発生する。ただし、図面上で示す右下がりライン、右上がりラインはそれぞれディスク平面におけるトラック方向からの異なる振れ方向に相当する。
【００９５】
図９、図１０を参照して、これらの各パターンについて、＋方向位相誤差設定グルーブ信号と、−方向位相誤差設定グルーブ信号における位相誤差指標値（Δτ）の算出処理の具体例について説明する。
【００９６】
図９は、＋方向位相誤差設定グルーブ信号に対する位相誤差指標値（Δτ）の算出処理の具体例を説明する図である。
【００９７】
図９（ａ１）は、＋方向（トラック進行方向）に位相誤差を設定したグルーブ信号を実線で示している。点線は位相誤差無しのグルーブ信号を参考として示している。
図９（ａ２），（ａ３）は、グルーブ信号のゼロクロス点の近傍の２つのパターンの拡大図である。
（ａ２）右下がりライン近傍の処理例、
（ａ３）右上がりライン近傍の処理例、
これらを示している。
なお、点線は、参考データとして示す位相誤差のないグルーブ信号の例である。
【００９８】
（ａ２）右下がりライン近傍の処理例において、実線で示す＋方向の位相誤差を設定したグルーブ信号におけるゼロクロス点前後のサンプリング点ｔｐ，ｔｑの２つのサンプリングデータが位相誤差検出に利用される。
【００９９】
図９（ａ２）には、＋方向の位相誤差を設定したグルーブ信号（実線）と、位相誤差のないグルーブ信号（点線）各々のサンプリング点ｔｐ，ｔｑの計測値の例を示している。
【０１００】
＋方向の位相誤差を設定したグルーブ信号（実線）の計測値は、
サンプリング時間ｔｐ：計測値ｃ＝＋４０、
サンプリング時間ｔｑ：計測値ｄ＝−２６、
これらの計測値である。
位相誤差のないグルーブ信号（点線）の計測値は、
サンプリング時間ｔｐ：計測値ａ＝＋３２、
サンプリング時間ｔｑ：計測値ｂ＝−３２、
これらの計測値である。
実線、点線のラインの位置関係から、たとえば上記の計測値が取得される。
【０１０１】
これらの計測値に基づいて、先に説明した式（式１）を適用して、位相誤差指標値（Δτ）を算出する。
＋方向の位相誤差を設定したグルーブ信号（実線）の計測値、
サンプリング時間ｔｐ：計測値ｃ＝＋４０、
サンプリング時間ｔｑ：計測値ｄ＝−２６、
これらの計測値を適用すると、
Δτ＝（（Ｙｋ）（Ｘｋ−１））−（（Ｙｋ−１）（Ｘｋ））
＝（（−１）（＋４０））−（（＋１）（−２６））＝−１４＜０
このように０未満の値が算出される。
これは、図８（２ａ）に対応する。
【０１０２】
一方、位相誤差のないグルーブ信号（点線）の計測値、
サンプリング時間ｔｐ：計測値ａ＝＋３２、
サンプリング時間ｔｑ：計測値ｂ＝−３２、
これらの計測値を適用すると、
Δτ＝（（Ｙｋ）（Ｘｋ−１））−（（Ｙｋ−１）（Ｘｋ））
＝（（−１）（＋３２））−（（＋１）（−３２））＝０
このように０が算出される。
これは、図８（１）に対応する。
【０１０３】
次に、図９（ａ３）右上がりライン近傍の処理例について説明する。図９（ａ３）には、ゼロクロス近傍のグルーブ信号ラインが右上がりである場合の例である。図９（ａ３）にも、＋方向の位相誤差を設定したグルーブ信号（実線）と、位相誤差のないグルーブ信号（点線）各々のサンプリング点ｔｒ，ｔｓの計測値の例を示している。
【０１０４】
＋方向の位相誤差を設定したグルーブ信号（実線）の計測値は、
サンプリング時間ｔｒ：計測値ｇ＝−４０、
サンプリング時間ｔｓ：計測値ｈ＝＋２６、
これらの計測値である。
位相誤差のないグルーブ信号（点線）の計測値は、
サンプリング時間ｔｒ：計測値ｅ＝−３２、
サンプリング時間ｔｓ：計測値ｆ＝＋３２、
これらの計測値である。
実線、点線のラインの位置関係から、たとえば上記の計測値が取得される。
【０１０５】
これらの計測値に基づいて、先に説明した式（式１）を適用して、位相誤差指標値（Δτ）を算出する。
＋方向の位相誤差を設定したグルーブ信号（実線）の計測値、
サンプリング時間ｔｒ：計測値ｇ＝−４０、
サンプリング時間ｔｓ：計測値ｈ＝＋２６、
これらの計測値を適用すると、
Δτ＝（（Ｙｋ）（Ｘｋ−１））−（（Ｙｋ−１）（Ｘｋ））
＝（（＋１）（−４０））−（（−１）（＋２６））＝−１４＜０
このように０未満の値が算出される。
これは、図８（２ａ）に対応する。
【０１０６】
一方、位相誤差のないグルーブ信号（点線）の計測値、
サンプリング時間ｔｐ：計測値ｅ＝−３２、
サンプリング時間ｔｑ：計測値ｆ＝＋３２、
これらの計測値を適用すると、
Δτ＝（（Ｙｋ）（Ｘｋ−１））−（（Ｙｋ−１）（Ｘｋ））
＝（（＋１）（−３２））−（（−１）（＋３２））＝０
このように０が算出される。
これは、図８（１）に対応する。
【０１０７】
このように、ゼロクロス点のラインが、右上がりライン、右下がりラインいずれの場合も、＋方向の位相誤差の設定されたグルーブ信号のゼロクロス点を挟む２点の計測値によって算出される位相誤差指標値（Δτ）は、位相誤差の設定されていないグルーブ信号の計測値によって算出される位相誤差指標値（Δτ）よりも小さい値となる。
【０１０８】
この位相誤差指標値（Δτ）を所定の計測区間において積分することで、先に説明した図８（２ａ）に示すような積分結果Ｖ１が得られることになる。この積分結果Ｖ１と、予め設定された閾値Ｔｈ１と比較し、
Ｖ１≦Ｔｈ１
上記結果が得られた場合、この計測区間における位相誤差の設定は＋方向（トラック進行方向）であると判別することができる。
【０１０９】
図１０は、−方向位相誤差設定グルーブ信号に対する位相誤差指標値（Δτ）の算出処理の具体例を説明する図である。
【０１１０】
図１０（ｂ１）は、−方向（トラック逆方向）に位相誤差を設定したグルーブ信号を実線で示している。点線は位相誤差無しのグルーブ信号を参考として示している。
図１０（ｂ２），（ｂ３）は、グルーブ信号のゼロクロス点の近傍の２つのパターンの拡大図である。
（ｂ２）右下がりライン近傍の処理例、
（ｂ３）右上がりライン近傍の処理例、
これらを示している。
なお、点線は、参考データとして示す位相誤差のないグルーブ信号の例である。
【０１１１】
（ｂ２）右下がりライン近傍の処理例において、実線で示す−方向の位相誤差を設定したグルーブ信号におけるゼロクロス点前後のサンプリング点ｔｐ，ｔｑの２つのサンプリングデータが位相誤差検出に利用される。
【０１１２】
図１０（ｂ２）には、−方向の位相誤差を設定したグルーブ信号（実線）と、位相誤差のないグルーブ信号（点線）各々のサンプリング点ｔｐ，ｔｑの計測値の例を示している。
【０１１３】
−方向の位相誤差を設定したグルーブ信号（実線）の計測値は、
サンプリング時間ｔｐ：計測値ｃ＝＋２６、
サンプリング時間ｔｑ：計測値ｄ＝−４０、
これらの計測値である。
位相誤差のないグルーブ信号（点線）の計測値は、
サンプリング時間ｔｐ：計測値ａ＝＋３２、
サンプリング時間ｔｑ：計測値ｂ＝−３２、
これらの計測値である。
実線、点線のラインの位置関係から、たとえば上記の計測値が取得される。
【０１１４】
これらの計測値に基づいて、先に説明した式（式１）を適用して、位相誤差指標値（Δτ）を算出する。
−方向の位相誤差を設定したグルーブ信号（実線）の計測値、
サンプリング時間ｔｐ：計測値ｃ＝＋２６、
サンプリング時間ｔｑ：計測値ｄ＝−４０、
これらの計測値を適用すると、
Δτ＝（（Ｙｋ）（Ｘｋ−１））−（（Ｙｋ−１）（Ｘｋ））
＝（（−１）（＋２６））−（（＋１）（−４０））＝＋１４＞０
このように０より大きい値が算出される。
これは、図８（２ｂ）に対応する。
【０１１５】
一方、位相誤差のないグルーブ信号（点線）の計測値、
サンプリング時間ｔｐ：計測値ａ＝＋３２、
サンプリング時間ｔｑ：計測値ｂ＝−３２、
これらの計測値を適用すると、
Δτ＝（（Ｙｋ）（Ｘｋ−１））−（（Ｙｋ−１）（Ｘｋ））
＝（（−１）（＋３２））−（（＋１）（−３２））＝０
このように０が算出される。
これは、図８（１）に対応する。
【０１１６】
次に、図１０（ｂ３）右上がりライン近傍の処理例について説明する。図１０（ｂ３）には、ゼロクロス近傍のグルーブ信号ラインが右上がりである場合の例である。図１０（ｂ３）にも、−方向の位相誤差を設定したグルーブ信号（実線）と、位相誤差のないグルーブ信号（点線）各々のサンプリング点ｔｒ，ｔｓの計測値の例を示している。
【０１１７】
−方向の位相誤差を設定したグルーブ信号（実線）の計測値は、
サンプリング時間ｔｒ：計測値ｇ＝−２６、
サンプリング時間ｔｓ：計測値ｈ＝＋４０、
これらの計測値である。
位相誤差のないグルーブ信号（点線）の計測値は、
サンプリング時間ｔｒ：計測値ｅ＝−３２、
サンプリング時間ｔｓ：計測値ｆ＝＋３２、
これらの計測値である。
実線、点線のラインの位置関係から、たとえば上記の計測値が取得される。
【０１１８】
これらの計測値に基づいて、先に説明した式（式１）を適用して、位相誤差指標値（Δτ）を算出する。
＋方向の位相誤差を設定したグルーブ信号（実線）の計測値、
サンプリング時間ｔｒ：計測値ｇ＝−２６、
サンプリング時間ｔｓ：計測値ｈ＝＋４０、
これらの計測値を適用すると、
Δτ＝（（Ｙｋ）（Ｘｋ−１））−（（Ｙｋ−１）（Ｘｋ））
＝（（＋１）（−２６））−（（−１）（＋４０））＝＋１４＞０
このように０より大きい値が算出される。
これは、図８（２ｂ）に対応する。
【０１１９】
一方、位相誤差のないグルーブ信号（点線）の計測値、
サンプリング時間ｔｐ：計測値ｅ＝−３２、
サンプリング時間ｔｑ：計測値ｆ＝＋３２、
これらの計測値を適用すると、
Δτ＝（（Ｙｋ）（Ｘｋ−１））−（（Ｙｋ−１）（Ｘｋ））
＝（（＋１）（−３２））−（（−１）（＋３２））＝０
このように０が算出される。
これは、図８（１）に対応する。
【０１２０】
このように、ゼロクロス点のラインが、右上がりライン、右下がりラインいずれの場合も、−方向の位相誤差の設定されたグルーブ信号のゼロクロス点を挟む２点の計測値によって算出される位相誤差指標値（Δτ）は、位相誤差の設定されていないグルーブ信号の計測値によって算出される位相誤差指標値（Δτ）よりも大きい値となる。
【０１２１】
この位相誤差指標値（Δτ）を所定の計測区間において積分することで、先に説明した図８（２ｂ）に示すような積分結果Ｖ２が得られることになる。この積分結果Ｖ２と、予め設定された閾値Ｔｈ２と比較し、
Ｖ２≧Ｔｈ２
上記結果が得られた場合、この計測区間における位相誤差の設定は−方向（トラック逆方向）であると判別することができる。
【０１２２】
［３．情報記録装置の構成と処理について］
グルーブ信号に重畳された付加情報が例えば暗号鍵である場合、ユーザの情報記録再生装置は、装着したディスクに記録されたグルーブ信号読み取り、暗号鍵を取得することができる。さらに、取得した暗号鍵を適用して、たとえばサーバから取得したコンテンツの暗号化処理を実行して、ディスクに記録することができる。
【０１２３】
あるいはサーバがディスクに記録されたと同一の暗号鍵を適用した暗号化コンテンツをユーザ装置に提供し、ユーザ装置側でディスクに対する暗号化コンテンツの記録を実行して、その後の再生処理において、ディスクのグルーブ信号から取得した暗号鍵を適用した復号、再生処理を行うことも可能である。
【０１２４】
このように暗号鍵をグルーブ信号に重畳させて記録したディスクに暗号化コンテンツの記録処理を行う情報記録装置の構成と処理例について、図１１を参照して説明する。
【０１２５】
図１１は、前述したディスク１５０、すなわち、グルーブ信号に付加情報として暗号鍵が記録されたディスク１５０を装着し、ディスク１５０に対して暗号化コンテンツの記録処理を実行するユーザ装置としての情報記録装置３００の構成例を示すブロック図である。
【０１２６】
情報記録装置３００は、図１１に示すように、記録再生部３０１、信号解析部３０２、暗号処理部３０４、通信部３０５を有する。
記録再生部３０１はディスク１５０からのグルーブ信号、記録コンテンツの読み取り、さらにコンテンツの記録処理を実行する。
【０１２７】
信号解析部３０２は、先に、図５、図６を参照して説明した情報再生装置２００の信号解析部２０２と同様の構成を有し、同様の処理を実行する。すなわち、記録再生部３０１から入力するグルーブ信号の復調処理および解析を実行して、位相誤差の検出を行い、検出した位相誤差に基づいてグルーブ信号中に記録された付加情報の構成ビット値を検出する。
【０１２８】
信号解析部３０２において検出された付加情報の構成ビット情報により付加情報１２０を得る。例えば付加情報１２０は暗号鍵であり、ディスク１５０に記録するコンテンツの暗号化処理に適用される。また、ディスク１５０に記録された暗号化コンテンツの復号処理に適用される。
【０１２９】
さらに、信号解析部３０２において復調された結果からは、グルーブ信号に含まれるその他の付加情報であるアドレス情報１２５が得られる。アドレス情報１２５は、ディスク１５０に対するデータ記録や再生処理において利用される。
【０１３０】
情報記録装置３００は、通信部３０５を介してコンテンツサーバ４００と通信を実行し、コンテンツサーバ４００からコンテンツを取得する。取得コンテンツは、暗号化コンテンツ、あるいは暗号化処理が施されていない平文コンテンツのいずれかである。
【０１３１】
暗号化コンテンツである場合、その暗号化コンテンツは、ディスク１５０のグルーブ信号から読み取られる暗号鍵によって復号可能な暗号化コンテンツである。このような暗号化コンテンツをサーバから受信した場合、受信した暗号化コンテンツは、記録再生部３０１を介してディスク１５０に記録される。
【０１３２】
また、コンテンツサーバ４００から暗号化処理が施されていない平文コンテンツを受信した場合は、ディスク１５０のグルーブ信号から読み取った付加情報１２０としての暗号鍵を適用して、暗号処理部３０４において暗号化処理が実行される。この結果、生成された暗号化コンテンツが記録再生部３０１を介してディスク１５０に記録される。
【０１３３】
ディスク１５０に記録された暗号化コンテンツを再生する場合は、ディスク１５０から暗号化コンテンツを読み取るとともに、グルーブ信号から暗号鍵を読み取り、読み取った暗号鍵を適用して暗号化コンテンツを復号して再生処理を行う。この処理は、先に、図５を参照して説明した情報再生装置２００の処理と同様の処理である。
【０１３４】
なお、図１１に示す構成では、ディスクに記録するコンテンツは通信部３０５を介してコンテンツサーバ４００から取得する構成としたが、コンテンツの取得元はサーバに限らず、放送や、他の情報処理装置、他のメディアなど様々な設定が可能である。これらの取得元に応じたコンテンツ入力部としてのインタフェースを介して入力したコンテンツをディスクに暗号化コンテンツとして記録することができる。
【０１３５】
図１１に示す情報記録装置３００においてディスクに対する暗号化コンテンツの記録を行うと、暗号化コンテンツとその復号に適用する暗号鍵は１つのディスクにまとまって格納されることになる。従って、例えば暗号化コンテンツを他のメディアに出力してコピーしても、暗号鍵が利用できないことになり、コンテンツの不正利用を効果的に防止することができる。
【０１３６】
［４．その他の実施例について］
グルーブ信号に対する付加情報の重畳記録におけるビット値に応じた位相誤差設定態様については、先に図４を参照して説明した構成の他、様々な設定が可能である。
【０１３７】
図４を参照して説明した例は、
ビット＝１の場合に、＋方向の位相誤差を設定したグルーブ信号、
ビット＝０の場合に、−方向の位相誤差を設定したグルーブ信号、
このような設定でグルーブ信号を記録し、これらの位相誤差に基づいてビット値判別を行う例である。
【０１３８】
ビット値と位相誤差との対応関係は、様々な設定が可能であり、上述の逆の設定や、ビット値と、複数の位相誤差パターンとを対応付ける設定なども可能である。図１２にその一例を示す。
【０１３９】
図１２は先に説明した図４と同様、グルーブ信号の記録処理と再生処理例について示した図である。図１２の例は、
ビット＝１の場合に、先行する＋方向位相誤差設定グルーブ信号と後続の−方向位相誤差設定グルーブ信号、
ビット＝０の場合に、先行する−方向位相誤差設定グルーブ信号と後続の＋方向位相誤差設定グルーブ信号、
このような設定でグルーブ信号を記録した例である。
【０１４０】
図１２に示す例は以下のような設定例を示している。
ｔ１〜ｔ２：＋方向位相誤差設定グルーブ信号
ｔ２〜ｔ３：−方向位相誤差設定グルーブ信号
このｔ１〜ｔ３区間のグルーブ信号によって、ビット値＝１を示している。
ｔ３〜ｔ４：−方向位相誤差設定グルーブ信号
ｔ４〜ｔ５：＋方向位相誤差設定グルーブ信号
このｔ３〜ｔ５区間のグルーブ信号によって、ビット値＝０を示している。
【０１４１】
図１２上段に示すように、グルーブ信号の記録処理に際しては、付加情報の構成ビットがビット値＝１の場合と０の場合において、上記設定に従った移送誤差を持つグルーブ信号を生成して記録する。
【０１４２】
再生処理に際しては、再生装置は、グルーブ信号の読み取りを所定のサンプリングタイム（Ｔ）間隔で実行し、図１２下段に示すように、各サンプリングタイムにおいて読み取られた信号の値を、順次加算する積分処理を行う。この積分処理によって、一定区間（例えばｔ１〜ｔ２）において読み取られたグルーブ信号の位相誤差の方向（＋，−）を判定する。
【０１４３】
例えば、再生装置は以下のような処理を行う。
ｔ１〜ｔ２：読み取りグルーブ信号に基づく位相誤差判定結果を蓄積（積分）し、＋方向の位相誤差が設定された区間であると判断する。
ｔ２〜ｔ３：読み取りグルーブ信号に基づく位相誤差判定結果を蓄積（積分）し、−方向の位相誤差が設定された区間であると判断する。
このｔ１〜ｔ３区間において、先行する＋方向位相誤差設定グルーブ信号と後続の−方向位相誤差設定グルーブ信号の組み合わせが検出されたことに基づいて、ビット値［１］と判定する。
【０１４４】
次に、
ｔ３〜ｔ４：読み取りグルーブ信号に基づく位相誤差判定結果を蓄積（積分）し、−方向の位相誤差が設定された区間であると判断する。
ｔ４〜ｔ５：読み取りグルーブ信号に基づく位相誤差判定結果を蓄積（積分）し、＋方向の位相誤差が設定された区間であると判断する。
このｔ３〜ｔ５区間において、先行する＋方向位相誤差設定グルーブ信号と後続の−方向位相誤差設定グルーブ信号の組み合わせが検出されたことに基づいて、ビット値［０］と判定する。
【０１４５】
このような処理を実行することで、例えば６４ビットや１２８ビットの鍵を構成するビット値をすべて正確に取得することができる。
【０１４６】
なお、位相誤差設定方向が、［＋］［−］［＋］［−］［＋］［−］といったように設定されると先行と後続するグルーブ信号区間を判別することができなくなる可能性が発生するが、例えば、位相誤差を設定しない信号区間を利用することで、この問題は解決できる。例えば位相誤差を設定しない区間を［０］として、以下のような設定のグルーブ信号を記録する。
［＋］［−］［０］［＋］［−］［０］［＋］［−］［０］［−］［＋］
このような信号を記録し［０］を区切り信号として利用する。
【０１４７】
この設定により、再生時に、［＋］，［−］のペアのいずれが先行するグルーブ信号であるかを判別することが可能となり、上記信号の場合、
１１１０・・・・
上記ビット列であることの判別処理が可能となる。
【０１４８】
なお、図１２に示す例は、＋−の２つの異なる位相誤差設定グルーブ信号の配列でビット値（０，１）を識別する構成として説明したが、さらに、
［＋］［＋］［−］をビット値＝１、
［−］［−］［＋］をビット値＝０、
とする設定など、多様な設定が可能である。
【０１４９】
以上、特定の実施例を参照しながら、本発明について詳解してきた。しかしながら、本発明の要旨を逸脱しない範囲で当業者が実施例の修正や代用を成し得ることは自明である。すなわち、例示という形態で本発明を開示してきたのであり、限定的に解釈されるべきではない。本発明の要旨を判断するためには、特許請求の範囲の欄を参酌すべきである。
【０１５０】
また、明細書中において説明した一連の処理はハードウェア、またはソフトウェア、あるいは両者の複合構成によって実行することが可能である。ソフトウェアによる処理を実行する場合は、処理シーケンスを記録したプログラムを、専用のハードウェアに組み込まれたコンピュータ内のメモリにインストールして実行させるか、あるいは、各種処理が実行可能な汎用コンピュータにプログラムをインストールして実行させることが可能である。例えば、プログラムは記録媒体に予め記録しておくことができる。記録媒体からコンピュータにインストールする他、ＬＡＮ（Ｌｏｃａｌ  Ａｒｅａ  Ｎｅｔｗｏｒｋ）、インターネットといったネットワークを介してプログラムを受信し、内蔵するハードディスク等の記録媒体にインストールすることができる。
【０１５１】
なお、明細書に記載された各種の処理は、記載に従って時系列に実行されるのみならず、処理を実行する装置の処理能力あるいは必要に応じて並列的にあるいは個別に実行されてもよい。また、本明細書においてシステムとは、複数の装置の論理的集合構成であり、各構成の装置が同一筐体内にあるものには限らない。
【産業上の利用可能性】
【０１５２】
以上、説明したように、本発明の一実施例の構成によれば、暗号鍵などの秘匿性の高い付加情報をディスクに記録されるグルーブ信号中に、読み取り困難性と高精度な読み取りの双方を実現させる重畳記録を行うことが可能となる。付加情報の記録に際してビット値に応じた位相誤差を設定したグルーブ信号を記録し、付加情報の読み取り時には、所定区間のグルーブ信号の位相誤差を積分処理して、各区間内のグルーブ信号の位相誤差方向を判別する構成とした。このような処理により読み取り困難性を高めるとともに、精度の高い読み取りを実現する付加情報の記録再生を実現した。
【符号の説明】
【０１５３】
１００  記録媒体製造装置
１０２  記録信号生成部
１０３  記録部
１２０  付加情報
１２２  変調信号生成部
１２３  位相誤差設定信号生成部
１２５  アドレス情報
１３０  マスタディスク
１５０  ディスク
２０１  再生部
２０２  信号解析部
２０４  復号処理部
２２１  復調部
２２２  位相誤差検出部
２２３  ビット値判定部
３０１  記録再生部
３０２  信号解析部
３０４  暗号処理部
【図１】
2011023051.tif 000003
【図２】
2011023051.tif 000004
【図３】
2011023051.tif 000005
【図４】
2011023051.tif 000006
【図５】
2011023051.tif 000007
【図６】
2011023051.tif 000008
【図７】
2011023051.tif 000009
【図８】
2011023051.tif 000010
【図９】
2011023051.tif 000011
【図１０】
2011023051.tif 000012
【図１１】
2011023051.tif 000013
【図１２】
2011023051.tif 000014